(57)【特許請求の範囲】
【請求項１】
横向き軸心周りに回転駆動される右及び左のリールフレームと、前記右及び左のリールフレームに亘って横向きに取り付けられる支持フレームと、を備える掻込みリールへのタイン取付構造であって、
前記タインは、一本の線材が曲げられることにより一体的に形成され、
前記タインは、上下向きの姿勢で作物に作用する一つの作用部と、前記作用部の上部に設けられ、前記支持フレームの下方に位置する状態で前記作用部に対して前側で巻かれている一つのコイル部と、前記支持フレームの後側を通る状態で前記コイル部から上方に延出される一つの延出部と、後向きに開口する平面視Ｕ字状の凹部を有する状態で前記延出部の上端から前方向に延出された一つの取付部と、前記支持フレームの後側を通る状態で前記取付部における前記延出部とは反対側の端部から下方に延出される一つの下方延出部と、を備え、
前記取付部が前記支持フレームの上部に置かれた状態で、ボルトが、前記凹部に挿入されると共に前記支持フレームを貫通し、かつ、前記支持フレームの下部に位置するナットに締め込まれていて、前記ボルトの頭部と前記支持フレームとの間に前記取付部が挟みこまれて前記タインが前記支持フレームに取付けられており、
前記延出部と前記下方延出部とが前記支持フレームに接触することにより、前記ボルトの軸心周り方向における前記タインの回転が阻止され、かつ、前記掻込みリールの回転に伴う作物からの反力により前記タインが前記支持フレーム周りにて前方に揺動しようとする状態で、前記ボルトが前記凹部の底部分へ入り込むタイン取付構造。
【請求項２】
前記コイル部は、前記支持フレームの長手方向において、前記延出部を挟んで前記取付部とは反対側に位置している請求項１に記載のタイン取付構造。
【請求項３】
前記延出部は、前記コイル部の上端部がそのまま鉛直方向に沿って上方に延ばされたものであり、
前記延出部の上端部が後向きに曲げられて前記凹部に繋がっている請求項１または２に記載のタイン取付構造。
【請求項４】
横向き軸心周りに回転駆動される右及び左のリールフレームと、前記右及び左のリールフレームに亘って横向きに取り付けられる支持フレームと、を備える掻込みリールへのタイン取付構造であって、
前記タインは、上下向きの姿勢で作物に作用する作用部と、前記作用部の上部に備えられるコイル部と、前記コイル部から側面視にて下方に延出される延出部と、前記延出部から前後方向に延出されて前記支持フレームに連結される取付部と、を備え、
前記コイル部が前記支持フレームの上部に置かれて、前記タインが前記コイル部により前記支持フレームに支持された状態で、前記取付部が前記支持フレームに連結されているタイン取付構造。
【請求項５】
前記取付部は、ボルトにより前記支持フレームに連結され、
前記タインは、前記取付部から側面視にて上方に延出される上方延出部を備え、
前記延出部と、前記上方延出部とが、前記支持フレームに接触することにより、前記ボルトの軸心周り方向における前記タインの回転が阻止される請求項４に記載のタイン取付構造。
【請求項６】
前記タインは、所定の左右間隔をあけて配置される右及び左の前記作用部と、前記右及び左の作用部の上部に備えられる右及び左の前記コイル部と、前記右及び左のコイル部に亘って形成される前記延出部と、前記延出部に備えられる単一の前記取付部と、を備える請求項４または５に記載のタイン取付構造。
【請求項７】
前記タインは、一本の線材が曲げられることにより一体的に形成され、
前記取付部は、前記線材が曲げられることにより凹部状に形成され、
前記凹部にボルトが挿入されて締め込まれることにより、前記取付部が前記ボルトの頭部と前記支持フレームとの間に挟み込まれ、
前記掻込みリールの回転に伴う作物からの反力により前記タインが前記支持フレーム周りにて前方に揺動しようとする状態で、前記タインの揺動方向が前記ボルトの前記凹部の底部分への入り込む方向となるように、前記凹部の前後方向の向きが設定されている請求項４〜６のうちのいずれか一つに記載のタイン取付構造。
【請求項８】
前記取付部と前記コイル部との間に前記支持フレームが入り込んだ状態で、前記取付部と前記コイル部とが前記支持フレームの上部と下部とに接するように、前記取付部と前記コイル部との上下間隔が設定される請求項１〜７のうちのいずれか一つに記載のタイン取付構造。
【請求項９】
前記コイル部は、前記支持フレームに沿った横向きの軸心周りの一重巻きとされている請求項１〜８のうちのいずれか一つに記載のタイン取付構造。
【請求項１０】
前記コイル部は、前記支持フレームに沿った横向きの軸心周りに巻回され、
前記コイル部の互いに隣り合う線材間には、隙間が形成されている請求項１〜９のうちのいずれか一つに記載のタイン取付構造。
【発明の詳細な説明】
【技術分野】
【０００１】
本発明は、タイン取付構造に関し、より詳細には、普通型コンバインにおける掻込みリールへのタイン取付構造に関する。
【背景技術】
【０００２】
従来より、横向き軸心周りに回転駆動される右及び左のリールフレームと、右及び左のリールフレームに亘って横向きに取り付けられる支持フレームと、を備える掻込みリールへのタイン取付構造が公知となっている（例えば、特許文献１参照）。特許文献１において、タインは、上下向きの姿勢で作物に作用する垂下棒状部（作用部）と、垂下棒状部の上部に備えられるコイルばね部（コイル部）と、タイン支柱バー（支柱フレーム）と一体的に設けられたチャンネル部材の側面にボルトにより連結される被取付部（取付部）と、を備える。
【先行技術文献】
【特許文献】
【０００３】
【特許文献１】特開２０１１−１７２５３５号公報
【発明の概要】
【発明が解決しようとする課題】
【０００４】
しかしながら、特許文献１に記載の技術では、タインをタイン支柱バーに組み付けるに際して、タインを手で持ちながらボルトで固定しなければならないため、タインをタイン支柱バーに組み付ける点で改善の余地があった。
【０００５】
本発明は以上の如き状況に鑑みてなされたものであり、タインを支柱フレームに容易に組み付けることができるタイン取付構造を提供することを目的とする。
【課題を解決するための手段】
【０００６】
本発明の第一発明は、横向き軸心周りに回転駆動される右及び左のリールフレームと、前記右及び左のリールフレームに亘って横向きに取り付けられる支持フレームと、を備える掻込みリールへのタイン取付構造であって、前記タインは、一本の線材が曲げられることにより一体的に形成され、前記タインは、上下向きの姿勢で作物に作用する一つの作用部と、前記作用部の上部に設けられ、前記支持フレームの下方に位置する状態で前記作用部に対して前側で巻かれている一つのコイル部と、前記支持フレームの後側を通る状態で前記コイル部から上方に延出される一つの延出部と、後向きに開口する平面視Ｕ字状の凹部を有する状態で前記延出部の上端から前方向に延出された一つの取付部と、前記支持フレームの後側を通る状態で前記取付部における前記延出部とは反対側の端部から下方に延出される一つの下方延出部と、を備え、前記取付部が前記支持フレームの上部に置かれた状態で、ボルトが、前記凹部に挿入されると共に前記支持フレームを貫通し、かつ、前記支持フレームの下部に位置するナットに締め込まれていて、前記ボルトの頭部と前記支持フレームとの間に前記取付部が挟みこまれて前記タインが前記支持フレームに取付けられており、前記延出部と前記下方延出部とが前記支持フレームに接触することにより、前記ボルトの軸心周り方向における前記タインの回転が阻止され、かつ、前記掻込みリールの回転に伴う作物からの反力により前記タインが前記支持フレーム周りにて前方に揺動しようとする状態で、前記ボルトが前記凹部の底部分へ入り込むものである。
【０００７】
本第一発明によると、タインを支持フレームに組み付けるに際して、タインが取付部を介して支持フレームに仮支持されるため、タインから手を離してもタインが支柱フレームから落ち難いので、タインを支持フレームに容易に組み付けることができる。
【０００９】
さらに、本第一発明によると、延出部と、下方延出部とが、支持フレームに接触することにより、ボルトの軸心周り方向におけるタインの回転が阻止されることから、取付部を支持フレームにボルトで連結する際に、ボルトの締付けによるタインの連れ回りが発生しないため、タインを支持フレームに容易に組み付けることができる。
上記構成において、前記コイル部は、前記支持フレームの長手方向において、前記延出部を挟んで前記取付部とは反対側に位置していると好適である。
上記構成において、前記延出部は、前記コイル部の上端部がそのまま鉛直方向に沿って上方に延ばされたものであり、前記延出部の上端部が後向きに曲げられて前記凹部に繋がっていると好適である。
【００１０】
本発明の第二発明は、横向き軸心周りに回転駆動される右及び左のリールフレームと、前記右及び左のリールフレームに亘って横向きに取り付けられる支持フレームと、を備える掻込みリールへのタイン取付構造であって、前記タインは、上下向きの姿勢で作物に作用する作用部と、前記作用部の上部に備えられるコイル部と、前記コイル部から側面視にて下方に延出される延出部と、前記延出部から前後方向に延出されて前記支持フレームに連結される取付部と、を備え、前記コイル部が前記支持フレームの上部に置かれて、前記タインが前記コイル部により前記支持フレームに支持された状態で、前記取付部が前記支持フレームに連結されているものである。
【００１１】
本発明の第二発明によると、タインを支持フレームに組み付けるに際して、タインがコイル部を介して支持フレームに仮支持されるため、タインから手を離してもタインが支柱フレームから落ち難いので、タインを支持フレームに容易に組み付けることができる。
また、コイル部が支持フレームの上側にあるため、藁が支持フレームで遮られるので、コイル部での藁の巻きつきを低減することができる。これにより、例えば、コイル部に藁が巻きつくと、この巻きついた藁にさらに藁が巻きついて塊となり、この塊が刈取部の搬送装置に混入すると、詰まりの原因となり易いが、このようなことを防止することができる。
【００１２】
上記構成において、前記取付部は、ボルトにより前記支持フレームに連結され、前記タインは、前記取付部から側面視にて上方に延出される上方延出部を備え、前記延出部と、前記上方延出部とが、前記支持フレームに接触することにより、前記ボルトの軸心周り方向における前記タインの回転が阻止されると好適である。
【００１３】
本構成によると、延出部と、上方延出部とが、支持フレームに接触することにより、ボルトの軸心周り方向におけるタインの回転が阻止されることから、取付部を支持フレームにボルトで連結する際に、ボルトの締付けによるタインの連れ回りが発生しないため、タインを支持フレームに容易に組み付けることができる。
【００１４】
上記構成において、前記取付部と前記コイル部との間に前記支持フレームが入り込んだ状態で、前記取付部と前記コイル部とが前記支持フレームの上部と下部とに接するように、前記取付部と前記コイル部との上下間隔が設定されると好適である。
【００１５】
本構成によると、タインが取付部とコイル部とで支持フレームを挟持するため、タインが振動し難くなって、タインを支持フレームに確実に組み付けることができる。
【００１６】
上記構成において、前記タインは、所定の左右間隔をあけて配置される右及び左の前記作用部と、前記右及び左の作用部の上部に備えられる右及び左の前記コイル部と、前記右及び左のコイル部に亘って形成される前記延出部と、前記延出部に備えられる単一の前記取付部と、を備えると好適である。
【００１７】
本構成によると、取付部が単一であることにより構造の簡素化を図りながら、タインが取付部と右及び左のコイル部との三箇所で支持フレームを挟持することにより、タインがより振動し難くなるため、タインを支持フレームにさらに確実に組み付けることができる。
【００１８】
上記構成において、前記タインは、一本の線材が曲げられることにより一体的に形成され、前記取付部は、前記線材が曲げられることにより凹部状に形成され、前記凹部にボルトが挿入されて締め込まれることにより、前記取付部が前記ボルトの頭部と前記支持フレームとの間に挟み込まれ、前記掻込みリールの回転に伴う作物からの反力により前記タインが前記支持フレーム周りにて前方に揺動しようとする状態で、前記タインの揺動方向が前記ボルトの前記凹部の底部分への入り込む方向となるように、前記凹部の前後方向の向きが設定されていると好適である。
【００１９】
本構成によると、作物からの反力がタインに作用することにより、取付部の凹部の底部分にボルトが深く入り込むため、タインが支柱フレームに強固に組み付けられるので、タインを支柱フレームから外れ難くすることができる。
【００２０】
上記構成において、前記コイル部は、前記支持フレームに沿った横向きの軸心周りの一重巻きとされていると好適である。
【００２１】
本構成によると、コイル部の巻数が減少するため、コイル部での藁の巻きつきを低減することができる。これにより、例えば、コイル部に藁が巻きつくと、この巻きついた藁にさらに藁が巻きついて塊となり、この塊が刈取部の搬送装置に混入すると、詰まりの原因となり易いが、このようなことを防止することができる。また、コイル部の巻数が減少するため、材料費及び加工費を低減することができる。
【００２２】
上記構成において、前記コイル部は、前記支持フレームに沿った横向きの軸心周りに巻回され、前記コイル部の互いに隣り合う線材間には、隙間が形成されていると好適である。
【００２３】
本構成によると、コイル部の線材間に藁が引っ掛かっても、コイル部の線材間に隙間があることにより、この引っ掛かった藁が容易に抜けるため、コイル部での藁の巻きつきを低減することができる。
【図面の簡単な説明】
【００２４】
【図１】本発明の第一実施形態に係るタイン取付構造を備えるコンバインを示す側面図。
【図２】本発明の第一実施形態に係る掻込みリールを示す正面図。
【図３】（ａ）本発明の第一実施形態に係るタインを示す側面図。（ｂ）同じく背面図。（ｃ）同じく斜視図。
【図４】（ａ）本発明の第二実施形態に係るタインを示す側面図。（ｂ）同じく背面図。（ｃ）同じく斜視図。
【図５】（ａ）本発明の第三実施形態に係るタインを示す側面図。（ｂ）同じく背面図。
【図６】本発明の第三実施形態に係るタインを示す斜視図。
【図７】（ａ）本発明の第四実施形態に係るタインを示す側面図。（ｂ）同じく背面図。
【図８】（ａ）本発明の第五実施形態に係るタインを示す側面図。（ｂ）同じく平面図。
【図９】（ａ）本発明の第三実施形態の変形例に係るタインを示す側面図。（ｂ）同じく背面図。
【発明を実施するための形態】
【００２５】
以下、本発明を実施するための形態について図面に基づき説明する。
【００２６】
先ず、本発明の第一実施形態に係るタイン取付構造を備えるコンバインについて、図１により説明する。
【００２７】
図１に示すように、コンバインは、いわゆる普通型コンバインである。コンバインは、機体を走行させる右及び左のクローラ式走行装置１を備える。右及び左のクローラ式走行装置１の上部には、機体フレーム２が備えられる。機体フレーム２の前方には、穀稈を刈り取る刈取部３が備えられる。刈取部３の後部には、刈り取った穀稈を搬送するフィーダ４が備えられる。また、機体フレーム２上には、搬送された穀稈を脱穀する脱穀部５と、脱穀後の穀粒を貯留する穀粒貯留部６と、が左右に並べて備えられる。穀粒貯留部６の前方には、オペレータが搭乗する運転部７が備えられる。運転部７には、図示しない操作ペダルや操作レバー等の操作具類が備えられる。
【００２８】
このような構成により、コンバインは、運転部７でオペレータが前記操作具類を操作することによって、右及び左のクローラ式走行装置１によって機体を走行させながら、刈取部３で圃場の穀稈を刈り取り、刈り取った穀稈をフィーダ４で脱穀部５側へ搬送し、搬送された穀稈を脱穀部５で脱穀し、脱穀後の穀粒を穀粒貯留部６に貯留する。
【００２９】
フィーダ４は、脱穀部５の前部から刈取部３に向かって、前斜め下方に延設される。フィーダ４の前端部には、刈取部３の刈取フレーム１１が連結される。また、フィーダ４の後端部には、図示しないエンジンからの動力が入力される入力軸８が設けられる。フィーダ４の内部には、刈り取った穀稈を搬送するコンベヤ９が設けられる。前記エンジンからの動力が入力軸８に伝達されることにより、コンベヤ９が駆動される。また、フィーダ４は、入力軸８を介して揺動可能に支持されるとともに、フィーダ４と機体フレーム２との間には、油圧シリンダ１０が設けられる。油圧シリンダ１０が伸縮することにより、フィーダ４が入力軸８を支点にして揺動される。
【００３０】
刈取部３は、フィーダ４の前端部に連結される刈取フレーム１１を備える。刈取フレーム１１の前部上方には、刈取対象の穀稈を掻き込む掻込みリール１２が備えられる。刈取フレーム１１は、刈取フレーム１１の側部を成す右及び左の側壁１３と、刈取フレーム１１の底部を成すプラットホーム１４と、を備える。右及び左の側壁１３の前端部には、圃場の穀稈を刈取対象と非刈取対象とに分草する右及び左のデバイダ１５が設けられる。右及び左の側壁１３の後部には、刈り取った穀稈を搬送するオーガ１７が回転可能に支持される。また、プラットホーム１４の前端縁には、掻き込んだ刈取対象の穀稈を切断して刈り取るバリカン型の刈刃１６が設けられる。
【００３１】
このような構成により、油圧シリンダ１０が伸縮して、フィーダ４が入力軸８を支点にして揺動すると、刈取部３が上昇又は下降して非作業状態と作業状態とに切り換えられる。刈取部３は、作業状態において、右及び左のデバイダ１５で圃場の穀稈を刈取対象と非刈取対象とに分草し、刈取対象の穀稈を掻込みリール１２で掻き込み、掻き込んだ刈取対象の穀稈を刈刃１６で切断して刈り取り、刈り取った穀稈をオーガ１７でフィーダ４側へ搬送する。
【００３２】
次に、掻込みリール１２について、図１及び図２により説明する。
【００３３】
図１及び図２に示すように、掻込みリール１２は、右及び左の支持アーム１８と、右及び左のリールフレーム１９と、五本の支持フレーム２０と、補助リールフレーム２１と、複数のタイン２２と、を備える。
【００３４】
支持アーム１８は、その基部が揺動軸１８ａを介して刈取フレーム１１に揺動可能に支持される。右及び左の支持アーム１８の先端部には、回転軸２３が横向き（左右方向）に架設される。また、右及び左の支持アーム１８と刈取フレーム１１との間には、右及び左の油圧シリンダ２４が設けられる。右及び左の油圧シリンダ２４が伸縮することにより、右及び左の支持アーム１８が揺動軸１８ａを支点にして揺動される。
【００３５】
リールフレーム１９は、側面視にて略五角形状に形成される。リールフレーム１９は、五本のリールアーム２７を備える。五本のリールアーム２７は、側面視にて回転軸２３側から略放射状に延設される。各リールアーム２７の先端部には、ブロック２８が設けられるとともに、五つのブロック２８に亘って帯板２９が側面視にて略五角形状に巻回される。
【００３６】
また、右及び左のリールフレーム１９は、回転軸２３の左右両端部にそれぞれ設けられる。リールフレーム１９は、回転軸２３に軸心Ｘ１周りに回転可能に支持される。また、回転軸２３の左端部には、ベルト２５が巻回されるプーリ２６が設けられる。前記エンジンからの動力がベルト２５及びプーリ２６等を介して回転軸２３に伝達されることにより、右及び左のリールフレーム１９が矢印Ａ方向に回転駆動される。
【００３７】
支持フレーム２０は、右及び左のリールフレーム１９に亘って横向き（左右方向）に取り付けられる。支持フレーム２０は、右及び左のブロック２８に回転可能に支持される。支持フレーム２０には、複数のタイン２２が支持フレーム２０の長手方向に沿って所定の左右間隔をあけて取り付けられる。
【００３８】
補助リールフレーム２１は、本実施形態では正面視で左方のリールフレーム１９側に備えられる。補助リールフレーム２１は、側面視にて略五角形状に形成される。補助リールフレーム２１は、リールフレーム１９の軸心Ｘ１とは異なる軸心Ｘ２周りに回転可能に支持される。補助リールフレーム２１は、その各頂部（五つの頂部）がリンク３１を介して支持フレーム２０に連結される。リンク３１は、その一端部が支持フレーム２０に固定されるとともに、その他端部が補助リールフレーム２１に回転可能に支持される。
【００３９】
このような構成により、右及び左の油圧シリンダ２４が伸縮して、右及び左の支持アーム１８が揺動軸１８ａを支点にして揺動すると、掻込みリール１２が上昇又は下降して非作業状態と作業状態とに切り換えられる。掻込みリール１２は、作業状態において、右及び左のリールアーム２７が軸心Ｘ１周りに矢印Ａ方向に回転すると、リールアーム２７とともに支持フレーム２０及びタイン２２も軸心Ｘ１周りに矢印Ａ方向に回転する。こうして、タイン２２が軸心Ｘ１周りに矢印方向Ａに回転することにより、タイン２２が上下向きの姿勢で刈取対象の穀稈に作用して、刈取対象の穀稈が掻込みリール１２によって描き込まれる。このとき、補助リールフレーム２１が軸心Ｘ２周りに回転し、補助リールフレーム２１の回転がリンク３１を介して支持フレーム２０に伝達されることにより、タイン２２の姿勢が上下向きに保持される。
【００４０】
次に、タイン２２について、図３により説明する。
【００４１】
図３に示すように、タイン２２は、右及び左の作用部３２と、右及び左のコイル部３３と、延出部３４と、取付部３５と、を備える。タイン２２は、一本の線材（例えば、ピアノ線等）が曲げられることにより一体的に形成される。タイン２２は、その左右中心Ｃを軸にして左右対称に形成される。
【００４２】
作用部３２は、上下向きの姿勢で作物に作用する。作用部３２は、その上下中途部にて後斜め下方に折り曲げられて延設される。作用部３２の基端部（コイル部３３側の端部）は、支持フレーム２０よりも下方に配置される。右及び左の作用部３２は、所定の左右間隔をあけて配置される。
【００４３】
コイル部３３は、作用部３２の上部に備えられる。コイル部３３は、支持フレーム２０の下側に配置される。コイル部３３は、支持フレーム２０に沿った横向き（左右方向）軸心周りの一重巻とされる。
【００４４】
延出部３４は、コイル部３３から側面視にて上方に延出されるとともに、右及び左のコイル部３３に亘って形成される。具体的には、延出部３４は、背面視にて右及び左のコイル部３３から支持フレーム２０の後部に沿ってタイン２２の左右中心Ｃに向かう斜め上方に延出され、支持フレーム２０の上部にて合流するように形成される。なお、この合流部に取付部３５が形成される。
【００４５】
取付部３５は、延出部３４から前方向に延出されて支持フレーム２０に連結される。取付部３５は、本実施形態ではボルト３６により支持フレーム２０に連結される。取付部３５は、支持フレーム２０の上側に配置される。取付部３５は、前記線材が曲げられることにより凹部状（平面視にて略Ｕ字状）に形成される。本実施形態では、単一の取付部３５がタイン２２の左右中心Ｃに形成される。また、取付部３５の凹部３５ａには、ボルト３６が挿入される。なお、支持フレーム２０には、ボルト３６が挿入されるボルト孔２０ａが形成される。取付部３５の凹部３５ａにボルト３６が上方から挿入されて締め込まれることにより、取付部３５がボルト３６の頭部３６ａと支持フレーム２０との間に挟みこまれる。また、取付部３５の凹部３５ａは、その凹む向きが本実施形態では前方向に設定される。これにより、掻込みリール１２の回転に伴う作物からの反力によりタイン２２が支持フレーム２０周りにて前方（図３（ａ）の紙面左方）に揺動しようとする状態で、タイン２２の揺動方向（前方向）がボルト３６の凹部３５ａの底部分への入り込む方向となる。
【００４６】
ここで、取付部３５と右及び左のコイル部３３との上下間には、支持フレーム２０が入り込むことになるが、取付部３５と右及び左のコイル部３３との上下間隔ｈは、次のようにして設定される。つまり、取付部３５と右及び左のコイル部３３との上下間に支持フレーム２０が入り込んだ状態で、取付部３５と右及び左のコイル部３３とが支持フレーム２０の上部と下部とに接するように、上下間隔ｈが設定される。
【００４７】
このような構成により、タイン２２は、次ぎのようにして支持フレーム２０に取り付けられる。
【００４８】
先ず、取付部３５と右及び左のコイル部３３との上下間に、支持フレーム２０が入り込むように、取付部３５が支持フレーム２０の上部に置かれる。このとき、取付部３５と右及び左のコイル部３３との上下間に、支持フレーム２０が入り込んだ状態で、延出部３４が支持フレーム２０の後部に接する。そして、タイン２２が取付部３５により支持フレーム２０に支持された状態で、取付部３５が支持フレーム２０に連結される。具体的には、取付部３５の凹部３５ａ及び支持フレーム２０のボルト孔２０ａに、ボルト３６が挿入されて締め込まれることにより、取付部３５が支持フレーム２０に連結される。こうして、タイン２２を支持フレーム２０に組み付けるに際して、タイン２２が取付部３５を介して支持フレーム２０に仮支持されるため、タイン２２から手を離してもタイン２２が支柱フレーム２０から落ち難いので、タイン２２を支持フレーム２０に容易に組み付けることができる。
【００４９】
ここで、支持フレーム２０のボルト２０ａの周囲には、平面部２０ｂが形成される。平面部２０ｂは、例えば、支持フレーム２０が略平面状に押し潰されて形成される。平面部２０ｂは、取付部３５の幅（左右方向に長さ）に合わせて形成される。つまり、平面部２０ｂの幅は、取付部３５の幅以上に形成される。これにより、取付部３５が平面部２０ｂに置かれることにより、取付部３５と支持フレーム２０との接触面積が大きくなるため、タイン２２を支持フレーム２０に確実に組み付けることができる。
【００５０】
次に、本発明の第二実施形態に係るタイン取付構造について、図４により説明する。なお、第一実施形態と同一符号の部材については、第一実施形態と同一構造であるため詳細な説明を省略する。
【００５１】
第二実施形態に係るタイン１２２は、第一実施形態に係るタイン２２と主として次の点で相違する。つまり、図４に示すように、第二実施形態に係るタイン１２２は、支持フレーム２０の上側に配置される右及び左のコイル部１３３と、コイル部１３３から側面視にて下方に延出される延出部１３４と、支持フレーム２０の下側に配置されるとともに、延出部１３４から後方向に延出される取付部１３５と、を備える点で、第一実施形態に係るタイン２２と相違する。
【００５２】
タイン１２２は、右及び左の作用部１３２と、右及び左のコイル部１３３と、延出部１３４と、取付部１３５と、を備える。タイン１２２は、一本の線材（例えば、ピアノ線等）が曲げられることにより一体的に形成される。タイン１２２は、その左右中心Ｃを軸にして左右対称に形成される。
【００５３】
作用部１３２は、上下向きの姿勢で作物に作用する。作用部１３２は、その上下中途部にて後斜め下方に折り曲げられて延設される。作用部１３２の基端部（コイル部１３３側の端部）は、支持フレーム２０よりも上方に配置される。右及び左の作用部１３２は、所定の左右間隔をあけて配置される。
【００５４】
コイル部１３３は、作用部１３２の上部に備えられる。コイル部１３３は、支持フレーム２０の上側に配置される。コイル部１３３は、支持フレーム２０に沿った横向き（左右方向）軸心周りの一重巻きとされる。
【００５５】
延出部１３４は、コイル部１３３から側面視にて下方に延出されるとともに、右及び左のコイル部１３３に亘って形成される。具体的には、延出部１３４は、背面視にて右及び左のコイル部１３３から支持フレーム２０の後部に沿ってタイン１２２の左右中心Ｃに向かう斜め下方に延出され、支持フレーム２０の下部にて合流するように形成される。なお、この合流部に取付部１３５が形成される。
【００５６】
取付部１３５は、延出部１３４から後方向に延出されて支持フレーム２０に連結される。取付部１３５は、本実施形態ではボルト３６により支持フレーム２０に連結される。取付部１３５は、支持フレーム２０の下側に配置される。取付部１３５は、前記線材が曲げられることにより凹部状（平面視にて略Ｕ字状）に形成される。本実施形態では、単一の取付部１３５がタイン１２２の左右中心Ｃに形成される。また、取付部１３５の凹部１３５ａには、ボルト３６が挿入される。取付部１３５の凹部１３５ａにボルト３６が下方から挿入されて締め込まれることにより、取付部１３５がボルト３６の頭部３６ａと支持フレーム２０との間に挟みこまれる。また、取付部１３５の凹部１３５ａは、その凹む向きが本実施形態では後方向に設定される。これにより、掻込みリール１２の回転に伴う作物からの反力によりタイン１２２が支持フレーム２０周りにて前方（図４（ａ）の紙面左方）に揺動しようとする状態で、タイン１２２の揺動方向（前方向）がボルト３６の凹部１３５ａの底部分への入り込む方向となる。
【００５７】
ここで、取付部１３５と右及び左のコイル部１３３との上下間には、支持フレーム２０が入り込むことになるが、取付部１３５と右及び左のコイル部１３３との上下間隔ｈは、次のようにして設定される。つまり、取付部１３５と右及び左のコイル部１３３との上下間に支持フレーム２０が入り込んだ状態で、取付部１３５と右及び左のコイル部１３３とが支持フレーム２０の上部と下部とに接するように、上下間隔ｈが設定される。
【００５８】
このような構成により、タイン１２２は、次ぎのようにして支持フレーム２０に取り付けられる。
【００５９】
先ず、取付部１３５と右及び左のコイル部１３３との上下間に、支持フレーム２０が入り込むように、コイル部１３３が支持フレーム２０の上部に置かれる。このとき、取付部１３５と右及び左のコイル部１３３との上下間に、支持フレーム２０が入り込んだ状態で、延出部１３４が支持フレーム２０の前部に接する。そして、タイン１２２がコイル部１３３により支持フレーム２０に支持された状態で、取付部１３５が支持フレーム２０に連結される。具体的には、取付部１３５の凹部１３５ａ及び支持フレーム２０のボルト孔２０ａに、ボルト３６が挿入されて締め込まれることにより、取付部１３５が支持フレーム２０に連結される。こうして、タイン１２２を支持フレーム２０に組み付けるに際して、タイン１２２が取付部１３５を介して支持フレーム２０に仮支持されるため、タイン１２２から手を離してもタイン１２２が支柱フレーム２０から落ち難いので、タイン１２２を支持フレーム２０に容易に組み付けることができる。
【００６０】
なお、支持フレーム２０の平面部２０ｂは、取付部１３５の幅（左右方向に長さ）に合わせて形成される。つまり、平面部２０ｂの幅は、取付部１３５の幅以上に形成される。これにより、取付部１３５が平面部２０ｂに置かれることにより、取付部１３５と支持フレーム２０との接触面積が大きくなるため、タイン１２２を支持フレーム２０に確実に組み付けることができる。
【００６１】
次に、本発明の第三実施形態に係るタイン取付構造について、図５及び図６により説明する。
【００６２】
図５及び図６に示すように、第三実施形態に係るタイン２２２は、作用部２３２と、コイル部２３３と、延出部２３４と、取付部２３５と、下方延出部２３６と、を備える。
【００６３】
作用部２３２は、上下向きの姿勢で作物に作用する。作用部２３２は、その先端部が後斜め下方に折り曲げられて延設される。作用部２３２の基端部（コイル部２３３側の端部）は、支持フレーム２０よりも下方に配置される。
【００６４】
コイル部２３３は、作用部２３２の上部に備えられる。コイル部２３３は、支持フレーム２０の下側に配置される。コイル部２３３は、支持フレーム２０に沿った横向き（左右向き）の軸心周りに巻回される。例えば、コイル部２３３は、支持フレーム２０に沿った横向き（左右方向）軸心周りの一重巻きとされる。そして、コイル部２３３の互いに隣り合う線材間には、隙間ｄ１が形成される。
【００６５】
延出部２３４は、コイル部２３３から側面視にて上方に延出される。延出部２３４は、支持フレーム２０の後側に配置される。
【００６６】
取付部２３５は、延出部２３４から前方向に延出されて支持フレーム２０に連結される。取付部２３５は、本実施形態ではボルト３６により支持フレーム２０に連結される。取付部２３５は、支持フレーム２０の上側に配置される。取付部２３５は、前記線材が曲げられることにより凹部状（平面視にて略Ｕ字状）に形成される。また、取付部２３５の凹部２３５ａには、ボルト３６が挿入される。取付部２３５の凹部２３５ａにボルト３６が上方から挿入されて締め込まれることにより、取付部２３５がボルト３６の頭部３６ａと支持フレーム２０との間に挟みこまれる。また、取付部２３５の凹部２３５ａは、その凹む向きが本実施形態では、後方向に設定される。これにより、掻込みリール１２の回転に伴う作物からの反力によりタイン２２２が支持フレーム２０周りにて前方（図５（ａ）の紙面右方）に揺動しようとする状態で、タイン２２２の揺動方向（前方向）がボルト３６の凹部２３５ａの底部分への入り込む方向となる。
【００６７】
下方延出部２３６は、取付部２３５から側面視にて下方に延出される。下方延出部２３６は、支持フレーム２０の後側に配置される。つまり、延出部２３４と下方延出部２３６とは、共に支持フレーム２０の後側に配置される。
【００６８】
このような構成により、タイン２２２は、次のようにして支持フレーム２０に取り付けられる。
【００６９】
先ず、取付部２３５とコイル部２３３との上下間に、支持フレーム２０が入り込むように、取付部２３５が支持フレーム２０の上部（平面部２０ｂ）に置かれる。このとき、取付部２３５とコイル部２３３との上下間に、支持フレーム２０が入り込んだ状態で、延出部２３４及び下方延出部２３６が支持フレーム２０の後部に接する。そして、タイン２２２が取付部２３５により支持フレーム２０に支持された状態で、取付部２３５が支持フレーム２０に連結される。具体的には、取付部２３５の凹部２３５ａ及び支持フレーム２０のボルト孔２０ａに、ボルト３６が挿入されて締め込まれることにより、取付部２３５が支持フレーム２０に連結される。こうして、タイン２２２を支持フレーム２０に組み付けるに際して、タイン２２２が取付部２３５を介して支持フレーム２０に仮支持されるため、タイン２２２から手を離してもタイン２２２が支柱フレーム２０から落ち難いので、タイン２２２を支持フレーム２０に容易に組み付けることができる。
【００７０】
ここで、前述のように、延出部２３４及び下方延出部２３６が支持フレーム２０の後部に接しているところ、延出部２３４と、下方延出部２３６とが、支持フレーム２０に接触することにより、ボルト３６の軸心周り方向におけるタイン２２２の回転が阻止される。つまり、ボルト３６を締め込むと、タイン２２２がボルト３６の軸心周り方向に回転しようとする（タイン２２２がボルト３６に連れ回ろうとする）が、延出部２３４と、下方延出部２３６とが、支持フレーム２０に接触することにより、ボルト３６の軸心周り方向におけるタイン２２２の回転が阻止される。
【００７１】
次に、本発明の第四実施形態に係るタイン取付構造について、図７により説明する。
【００７２】
図７に示すように、第四実施形態に係るタイン３２２は、作用部３３２と、コイル部３３３と、延出部３３４と、取付部３３５と、上方延出部３３６と、を備える。
【００７３】
作用部３３２は、上下向きの姿勢で作物に作用する。作用部３３２は、その先端部が後斜め下方に折り曲げられて延設される。作用部３３２の基端部（コイル部３３３側の端部）は、支持フレーム２０よりも上方に配置される。
【００７４】
コイル部３３３は、作用部３３２の上部に備えられる。コイル部３３３は、支持フレーム２０の上側に配置される。コイル部３３３は、支持フレーム２０に沿った横向き（左右向き）の軸心周りに巻回される。例えば、コイル部３３３は、支持フレーム２０に沿った横向き（左右方向）軸心周りの一重巻きとされる。そして、コイル部３３３の互いに隣り合う線材間には、隙間ｄ１が形成される。
【００７５】
延出部３３４は、コイル部３３３から側面視にて下方に延出される。延出部３３４は、支持フレーム２０の前側に配置される。
【００７６】
取付部３３５は、延出部３３４から後方向に延出されて支持フレーム２０に連結される。取付部３３５は、本実施形態ではボルト３６により支持フレーム２０に連結される。取付部３３５は、支持フレーム２０の下側に配置される。取付部３３５は、前記線材が曲げられることにより凹部状（平面視にて略Ｕ字状）に形成される。また、取付部３３５の凹部３３５ａには、ボルト３６が挿入される。取付部３３５の凹部３３５ａにボルト３６が下方から挿入されて締め込まれることにより、取付部３３５がボルト３６の頭部３６ａと支持フレーム２０との間に挟みこまれる。また、取付部３３５の凹部３３５ａは、その凹む向きが本実施形態では、前方向に設定される。これにより、掻込みリール１２の回転に伴う作物からの反力によりタイン３２２が支持フレーム２０周りにて前方（図７（ａ）の紙面右方）に揺動しようとする状態で、タイン３２２の揺動方向（前方向）がボルト３６の凹部３３５ａの底部分への入り込む方向となる。
【００７７】
上方延出部３３６は、取付部３３５から側面視にて上方に延出される。上方延出部３３６は、支持フレーム２０の前側に配置される。つまり、延出部３３４と上方延出部３３６とは、共に支持フレーム２０の前側に配置される。
【００７８】
このような構成により、タイン３２２は、次のようにして支持フレーム２０に取り付けられる。
【００７９】
先ず、取付部３３５とコイル部３３３との上下間に、支持フレーム２０が入り込むように、コイル部３３３が支持フレーム２０の上部（平面部２０ｂ）に置かれる。このとき、取付部３３５とコイル部３３３との上下間に、支持フレーム２０が入り込んだ状態で、延出部３３４及び上方延出部３３６が支持フレーム２０の前部に接する。そして、タイン３２２がコイル部３３３により支持フレーム２０に支持された状態で、取付部３３５が支持フレーム２０に連結される。具体的には、取付部３３５の凹部３３５ａ及び支持フレーム２０のボルト孔２０ａに、ボルト３６が挿入されて締め込まれることにより、取付部３３５が支持フレーム２０に連結される。こうして、タイン３２２を支持フレーム２０に組み付けるに際して、タイン３２２がコイル部３３３を介して支持フレーム２０に仮支持されるため、タイン３２２から手を離してもタイン３２２が支柱フレーム２０から落ち難いので、タイン３２２を支持フレーム２０に容易に組み付けることができる。
【００８０】
ここで、前述のように、延出部３３４及び上方延出部３３６が支持フレーム２０の前部に接しているところ、延出部３３４と、上方延出部３３６とが、支持フレーム２０に接触することにより、ボルト３６の軸心周り方向におけるタイン３２２の回転が阻止される。つまり、ボルト３６を締め込むと、タイン３２２がボルト３６の軸心周り方向に回転しようとする（タイン３２２がボルト３６に連れ回ろうとする）が、延出部３３４と、上方延出部３３６とが、支持フレーム２０に接触することにより、ボルト３６の軸心周り方向におけるタイン３２２の回転が阻止される。
【００８１】
次に、本発明の第五実施形態に係るタイン取付構造について、図８により説明する。
【００８２】
図８に示すように、第五実施形態に係るタイン４２２は、作用部４３２と、コイル部４３３と、延出部４３４と、取付部４３５と、下方延出部４３６と、を備える。
【００８３】
作用部４３２は、上下向きの姿勢で作物に作用する。作用部４３２は、その先端部が後斜め下方に折り曲げられて延設される。作用部４３２の基端部（コイル部４３３側の端部）は、支持フレーム２０よりも下方に配置される。
【００８４】
コイル部４３３は、作用部４３２の上部に備えられる。コイル部４３３は、支持フレーム２０の下側に配置される。コイル部４３３は、支持フレーム２０に沿った横向き（左右向き）の軸心周りに巻回される。例えば、コイル部４３３は、支持フレーム２０に沿った横向き（左右向き）軸心周りの一重巻きとされる。そして、コイル部４３３の互いに隣り合う線材間には、隙間ｄ１が形成される。また、コイル部４３３と下方延出部４３６との上下間には、隙間ｄ２が形成される。
【００８５】
延出部４３４は、コイル部４３３から側面視にて上方に延出される。延出部４３４は、支持フレーム２０の後側に配置される。
【００８６】
取付部４３５は、延出部４３４から前方向に延出されて支持フレーム２０に連結される。取付部４３５は、本実施形態ではボルト３６により支持フレーム２０に連結される。取付部４３５は、支持フレーム２０の上側に配置される。取付部４３５は、前記線材が曲げられることにより平面視にて略円形状に形成される。また、取付部４３５には、ボルト３６が挿入される。取付部４３５にボルト３６が上方から挿入されて締め込まれることにより、取付部４３５がボルト３６の頭部３６ａと支持フレーム２０との間に挟み込まれる。
【００８７】
下方延出部４３６は、取付部４３５から側面視にて下方に延出される。下方延出部４３６は、支持フレーム２０の前側に配置される。つまり、下方延出部４３６と延出部４３４とは、支持フレーム２０の前側と後側とに振り分けて配置される。
【００８８】
このような構成により、タイン４２２は、次のようにして支持フレーム２０に取り付けられる。
【００８９】
先ず、下方延出部４３６と延出部４３４との間に、支持フレーム２０が入り込むように、取付部４３５が支持フレーム２０の上部（平面部２０ｂ）に置かれる。このとき、下方延出部４３６と延出部４３４との間に、支持フレーム２０が入り込む際には、支持フレーム２０は、隙間ｄ２を通ることになる。そして、下方延出部４３６と延出部４３４との間に、支持フレーム２０が入り込んだ状態で、下方延出部４３６が支持フレーム２０の前部に接し、かつ、延出部４３４が支持フレーム２０の後部に接する。つまり、下方延出部４３６と延出部４３４とで、支持フレーム２０を挟み込んでいる。そして、タイン４２２が取付部４３５により支持フレーム２０に支持された状態で、取付部４３５が支持フレーム２０に連結される。具体的には、取付部４３５及び支持フレーム２０のボルト孔２０ａに、ボルト３６が挿入されて締め込まれることにより、取付部４３５が支持フレーム２０に連結される。こうして、タイン４２２を支持フレーム２０に組み付けるに際して、タイン４２２が取付部４３５を介して支持フレーム２０に仮支持されるため、タイン４２２から手を離してもタイン４２２が支持フレーム２０から落ち難いので、タイン４２２を支持フレーム２０に容易に組み付けることができる。
【００９０】
ここで、前述のように、下方延出部４３６が支持フレーム２０の前部に接し、かつ、延出部４３４が支持フレーム２０の後部に接しているところ、下方延出部４３６と、延出部４３４とが、支持フレーム２０に接触することにより、ボルト３６の軸心周り方向におけるタイン４２２の回転が阻止される。つまり、ボルト３６を締め込むと、タイン４２２がボルト３６の軸心周り方向に回転しようとする（タイン４２２がボルト３６に連れ回ろうとする）が、下方延出部４３６と、延出部４３４とが、支持フレーム２０に接触することにより、ボルト３６の軸心周り方向におけるタイン４２２の回転が阻止される。
【００９１】
なお、本発明の実施形態は、以下のようなものであってもよい。
【００９２】
第一から第五実施形態では、タイン２２（１２２、２２２、３２２、４２２）は、取付部３５（１３５、２３５、３３５、４３５）がボルト３６により支持フレーム２０に連結されるものであるが、本発明はこれに限定されない。例えば、タイン２２（１２２、２２２、３２２、４２２）は、取付部３５（１３５、２３５、３３５、４３５）が溶接により支持フレーム２０に連結されるものであってもよい。
【００９３】
また、第一及び第二実施形態では、タイン２２（１２２）は、単一の取付部３５（１３５）を備えるものであるが、本発明はこれに限定されない。例えば、タイン２２（１２２）は、複数の取付部３５（１３５）を備えるものであってもよい。また、タイン２２（１２２）は、一の作用部３２（１３２）と、一のコイル部３３（１３３）と、一の取付部３５（１３５）と、を備えるものであってもよい。
【００９４】
また、図５及び図６に示す第三実施形態に係るタイン２２２は、例えば、図９に示すように変更してもよい。すなわち、図５及び図６に示すタイン２２２では、コイル部２３３が、作用部２３２に対して前方に位置しているが、図９に示すように、コイル部２３３が、作用部２３２に対して後方（支持フレーム２０に対して後方）に位置するようにしてもよい。
【産業上の利用可能性】
【００９５】
本発明は、普通型コンバインにおける掻込みリールへのタイン取付構造に利用可能である。
【符号の説明】
【００９６】
１２  掻込みリール
１９  リールフレーム
２０  支持フレーム
２２  タイン
３２  作用部
３３  コイル部
３４  延出部
３５  取付部
３５ａ  凹部
３６  ボルト
３６ａ  頭部
１２２  タイン
１３２  作用部
１３３  コイル部
１３４  延出部
１３５  取付部
１３５ａ  凹部
２２２  タイン
２３２  作用部
２３３  コイル部
２３４  延出部
２３５  取付部
２３６  下方延出部
２３５ａ  凹部
３２２  タイン
３３２  作用部
３３３  コイル部
３３４  延出部
３３５  取付部
３３６  上方延出部
３３５ａ  凹部
４２２  タイン
４３２  作用部
４３３  コイル部
４３４  延出部
４３５  取付部
４３６  下方延出部
ｄ１  隙間
ｈ  上下間隔
【図１】
0005892856.tif 000002
【図２】
0005892856.tif 000003
【図３】
0005892856.tif 000004
【図４】
0005892856.tif 000005
【図５】
0005892856.tif 000006
【図６】
0005892856.tif 000007
【図７】
0005892856.tif 000008
【図８】
0005892856.tif 000009
【図９】
0005892856.tif 000010